(57)【特許請求の範囲】
【請求項１】
ユーザ装置（UE）の装置であって、
処理回路と、
前記処理回路により制御される送受信回路と
を有し、
前記送受信回路は、
PCellネットワークエンティティに関連するPCellからシグナリングを受信し、前記シグナリングは、SCellとの通信のために前記UEを構成し、前記SCellは、SCellネットワークエンティティに関連し、
前記PCellネットワークエンティティから、前記PCellへのスケジューリングされた上りリンク送信のためのスケジューリング情報を受信し、
前記SCellネットワークエンティティから、前記SCellへのスケジューリングされた上りリンク送信のためのスケジューリング情報を受信し、
前記SCellへの前記スケジューリングされた上りリンク送信が制御情報を含み、前記SCellへの前記スケジューリングされた上りリンク送信が前記PCellへの前記スケジューリングされた上りリンク送信と時間で重複することが決定された場合、少なくともいくつかの残りの電力を前記PCellへの前記スケジューリングされた上りリンク送信に割り当てる前に、前記SCellへの前記スケジューリングされた上りリンク送信のために最小電力を割り当て、
それぞれの電力割り当てに従って前記SCellへの前記スケジューリングされた上りリンク送信及び前記PCellへの前記スケジューリングされた上りリンク送信を送信するように構成される装置。
【請求項２】
前記SCellへの前記スケジューリングされた上りリンク送信は、制御情報のある物理上りリンク制御チャネル（PUCCH）送信又は制御情報のある物理上りリンク共有チャネル（PUSCH）送信であり、
前記PCellへの前記スケジューリングされた上りリンク送信は、PUSCH送信である、請求項１に記載の装置。
【請求項３】
前記PCellネットワークエンティティからの前記スケジューリング情報は、前記PCellへの前記スケジューリングされた上りリンク送信の第１のサブフレームを示し、
前記SCellネットワークエンティティからの前記スケジューリング情報は、前記SCellへの前記スケジューリングされた上りリンク送信の第２のサブフレームを示し、
前記処理回路は、前記第１及び第２のサブフレームが時間で重複するか否かを決定するように構成される、請求項２に記載の装置。
【請求項４】
時間で重複するようにスケジューリングされた前記PCell及びSCellのサブフレームについて、少なくとも前記最小電力は、まず、制御情報のある前記SCellの上りリンクチャネルに割り当てられ、少なくともいくつかの残りの電力は、優先度に基づいて他の上りリンクチャネルに割り当てられ、
重複するサブフレーム毎に割り当てられる合計電力は、最大電力未満である、請求項３に記載の装置。
【請求項５】
少なくとも前記最小電力が、まず、制御情報のある前記SCellの上りリンクチャネルに割り当てられた後に、前記PCellの前記PUCCHは、第１の優先度として電力を割り当てられ、前記PCellの上りリンク制御情報のあるPUSCHは、第２の優先度として電力を割り当てられ、前記SCellの上りリンク制御情報（UCI）のない前記PUSCHは、前記第２の優先度より低い優先度として電力を割り当てられる、請求項４に記載の装置。
【請求項６】
前記SCellは、前記SCellネットワークエンティティに関連する１つ以上の低電力のセルを有し、前記PCellは、前記PCellネットワークエンティティに関連する１つ以上の高電力のセルを有し、
前記UEは、前記PCellネットワークエンティティから前記SCellネットワークエンティティにデータトラヒックをオフロードするように構成される、請求項３に記載の装置。
【請求項７】
前記UEは、前記PCellから前記SCellにデータトラヒックをオフロードするように構成される、請求項３に記載の装置。
【請求項８】
前記PCellへの上りリンク送信は、第１のコンポーネントキャリアでスケジューリングされ、前記SCellへの上りリンク送信は、第２のコンポーネントキャリアでスケジューリングされる、請求項３に記載の装置。
【請求項９】
前記第１及び第２のコンポーネントキャリアは、キャリアアグリゲーション（CA）技術に従ってアグリゲーションされるように構成される、請求項８に記載の装置。
【請求項１０】
前記送受信回路は、前記PCellネットワークエンティティからのコンポーネントキャリア及び前記SCellネットワークエンティティからのコンポーネントキャリアを受信するように構成され、前記コンポーネントキャリアは、キャリアアグリゲーション（CA）技術に従ってアグリゲーションされる、請求項１に記載の装置。
【請求項１１】
デバイスを構成するコンピュータプログラムであって、
PCellネットワークエンティティに関連するPCellからシグナリングを受信する動作であり、前記シグナリングは、SCellとの通信のためにユーザ装置（UE）を構成し、前記SCellは、SCellネットワークエンティティに関連する動作と、
前記PCellネットワークエンティティから、前記PCellへのスケジューリングされた上りリンク送信のためのスケジューリング情報を受信する動作と、
前記SCellネットワークエンティティから、前記SCellへのスケジューリングされた上りリンク送信のためのスケジューリング情報を受信する動作と、
前記SCellへの前記スケジューリングされた上りリンク送信が制御情報を含み、前記SCellへの前記スケジューリングされた上りリンク送信が前記PCellへの前記スケジューリングされた上りリンク送信と時間で重複することが決定された場合、前記SCellへの前記スケジューリングされた上りリンク送信のために最小電力を割り当てる動作と、
少なくともいくつかの残りの電力を前記PCellへの前記スケジューリングされた上りリンク送信に割り当てる動作と、
それぞれの電力割り当てに従って前記SCellへの前記スケジューリングされた上りリンク送信及び前記PCellへの前記スケジューリングされた上りリンク送信を送信する動作と
を実行するように前記デバイスを構成するコンピュータプログラム。
【請求項１２】
前記SCellへの前記スケジューリングされた上りリンク送信は、制御情報のある物理上りリンク制御チャネル（PUCCH）送信又は制御情報のある物理上りリンク共有チャネル（PUSCH）送信であり、
前記PCellへの前記スケジューリングされた上りリンク送信は、PUSCH送信である、請求項１１に記載のコンピュータプログラム。
【請求項１３】
前記PCellネットワークエンティティからの前記スケジューリング情報は、前記PCellへの前記スケジューリングされた上りリンク送信の第１のサブフレームを示し、
前記SCellネットワークエンティティからの前記スケジューリング情報は、前記SCellへの前記スケジューリングされた上りリンク送信の第２のサブフレームを示し、
前記コンピュータプログラムは、前記第１及び第２のサブフレームが時間で重複するか否かを決定する動作を実行するように前記デバイスを構成する、請求項１２に記載のコンピュータプログラム。
【請求項１４】
時間で重複するようにスケジューリングされた前記PCell及びSCellのサブフレームについて、少なくとも前記最小電力は、まず、制御情報のある前記SCellの上りリンクチャネルに割り当てられ、少なくともいくつかの残りの電力は、優先度に基づいて他の上りリンクチャネルに割り当てられ、
重複するサブフレーム毎に割り当てられる合計電力は、最大電力未満である、請求項１３に記載のコンピュータプログラム。
【請求項１５】
請求項１１ないし１４のうちいずれか１項のコンピュータプログラムを記憶したコンピュータ読み取り可能記憶媒体。
【請求項１６】
ユーザ装置（UE）の装置であって、
前記UEが同時の物理上りリンク制御チャネル（PUCCH）及び物理上りリンク共有チャネル（PUSCH）送信についてスケジューリングされた場合、複数のチャネルでの合計の所望の送信電力がサブフレームについて合計の構成された最大出力電力を超えるか否かを決定し、
前記複数のチャネルでの前記合計の所望の送信電力が多くても前記サブフレームについて前記合計の構成された最大出力電力であるという決定に応じて、
前記複数のチャネルのそれぞれへの最小のゼロでないプロアクティブ電力の初期割り当てと、前記同時のPUCCH及びPUSCH送信の優先度に基づいて前記複数のチャネルへの残りの電力の割り当てとによって、送信のための電力割り当てを生成する
ように構成された処理回路と、
前記処理回路に結合され、前記電力割り当てに従って前記複数のチャネルで前記同時のPUCCH及びPUSCH送信を行うインタフェースと
を有し、
前記優先度は、プライマリセル（PCell）の送信がセカンダリセル（SCell）の送信より高い優先度を有し、PUCCH送信がPUSCH送信より高い優先度を有することを含む装置。
【請求項１７】
前記最小のゼロでないプロアクティブ電力の前記初期割り当ては、前記優先度に基づく、請求項１６に記載の装置。
【請求項１８】
前記処理回路は、前記複数のチャネルでの前記合計の所望の送信電力が前記PCell及びSCellにおける各コンポーネントキャリアの合計の最大出力電力を超えるか否かを決定するように更に構成される、請求項１６に記載の装置。
【請求項１９】
前記PCellのPUCCHは、第１の優先度として電力を割り当てられ、前記PCellの下りリンク制御情報（DCI）のあるPUSCHは、第２の優先度として電力を割り当てられ、前記SCellのDCIのないPUSCHは、最低の優先度として電力を割り当てられる、請求項１８に記載の装置。
【請求項２０】
データトラヒックは、前記SCellのDCIのない前記PUSCHにオフロードされ、
前記処理回路は、
PCellの前記PUCCH及び前記PCellのDCIのある前記PUSCHが管理及び制御情報を通信するために使用されることを決定し、
前記UEが前記サブフレームにおいて前記PCellの同時のPUCCH及びPUSCH並びに前記SCellのPUSCHの送信についてスケジューリングされた場合、前記合計の所望の送信電力が前記サブフレームについて前記合計の構成された最大出力電力を超えるか否かを決定するように更に構成される、請求項１９に記載の装置。
【請求項２１】
前記処理回路は、前記合計の所望の送信電力が前記合計の構成された最大出力電力を超える場合、前記PCellへの上りリンク制御シグナリングが損なわれないままにすることを確保しつつ、上りリンクデータ送信を前記SCellにオフロードするように構成される、請求項１６に記載の装置。
【発明の詳細な説明】
【技術分野】
【０００１】
［関連出願への相互参照］
この出願は、2013年8月21日に出願された米国特許出願第13/971,971号の優先権を主張し、その全内容を援用する。
【０００２】
［技術分野］
ここに記載する実施例は、概して無線通信に関し、特に、LTE-A（LTE-Advanced、Long-Term  Evolution  Advanced）通信環境における上りリンク電力制御の拡張のための方法及び装置に関する。
【背景技術】
【０００３】
LTE-Advancedネットワーク環境のような異種ネットワーク環境における移動デバイス（例えば、ユーザ装置（UE：user  equipment）は、複数のアクセスポイントと同時に通信するためにスケジューリング情報を介してスケジューリングされることがある。複数のアクセスポイントは、プライマリアクセスポイントと、１つ以上のセカンダリアクセスポイントとを含み得る。プライマリアクセスポイントは、マスターeNB（MeNB）とも呼ばれることがあり、マスターセルグループ（MCG）のプライマリセル（PCell）に関連付けられ得る。セカンダリアクセスポイントは、セカンダリeNB（SeNB）とも呼ばれることがあり、セカンダリセルグループ（SCG）の１つ以上のセカンダリセル（SCell）に関連付けられ得る。デュアルコネクティビティとしても知られる同時通信は、上りリンク送信及び／又は下りリンク送信を含み得る。或るシステムでは、マクロセルは、プライマリ又はマスターセルグループの一部であるPCellとして機能し、プライマリアクセスポイントは、モビリティ及び他の制御処理を管理する。１つ以上のSCell（スモールセル又は他のマクロセル）は、データオフロードに利用される１つ以上のセカンダリアクセスポイントとして機能し得る。SCellは、併せてセカンダリセルグループとして知られ得る。しかし、同時上りリンク送信のために利用可能な一体の電力は、様々なコンポーネント及びネットワークに基づく制限のため制限され得る。このような例示的なシステムでは、サブフレームにおける移動デバイスの最大送信電力は、制御メッセージをPCellに送信することにより容易に到達する可能性がある。これは、韓国特許出願公開第2012-0130100の従来技術において明らかなように、制御メッセージの送信がSCellへの同時データ送信にほとんどの電力しか残さないか、全く電力を残さないため、問題を生じ得る。従って、異種ネットワーク環境において改善した電力割り当て管理のニーズが存在する。
【図面の簡単な説明】
【０００４】
【図１】或る実施例によるLTE-Advanced無線システムを示すシステム図
【図２】或る実施例による上りリンク電力マネージャを含む例示的なUEを示すブロック図
【図３】或る実施例によるUEにおける改善した上りリンク電力管理のための方法を示すフローチャート
【図４】或る実施例によるUEにおける改善した上りリンク電力管理のための例示的なシステムを示すブロック図
【図５】或る実施例に従って機械に対してここに記載の方法のうちいずれか１つを実行させる命令のセット又は系列が実行され得るコンピュータシステムの例示的な形式の機械を示すブロック図
【発明を実施するための形態】
【０００５】
この開示は、LTE-Advanced無線環境における改善した上りリンク電力制御のための例示的な方法及び装置を提示する。UEは、キャリアアグリゲーション（CA：carrier  aggregation）を使用して、複数のコンポーネントキャリアでPCellと１つ以上のSCellとを含む複数のセルと通信してもよい。このような環境では、ここに記載する改善した上りリンク電力制御方法及び装置の或る例は、コンポーネントキャリア毎の最小プロアクティブ電力制限（MPLL：Minimum  Proactive  Power  Limitation）PCMIN,cを使用した電力割り当てトレードオフ方策に基づいてもよい。或る態様では、全てのセル及び全てのコンポーネントキャリアでのサブフレームにおけるUEの合計送信電力が、構成された最大出力電力
【０００６】
【数１】
0006333980.tif 000002
のリニア値（linear  value）を超える場合、UEは、はじめに、サブフレームiにおいて各サービングセルcにPCMIN,cを割り振ってもよい。残りの電力は、優先度に基づいて、PCell又はSCellチャネルであれ、制御又はデータチャネルであれ、上りリンクチャネルに割り振られる。或る例では、この優先度は、はじめに、物理上りリンク制御チャネル（PUCCH：physical  uplink  control  channel）（例えば、プライマリマクロセル又はPCellへの上りリンクチャネル）に与えられ、次に下りリンク制御情報（DCI：downlink  control  information）のある物理上りリンク共有チャネル（PUSCH：physical  uplink  shared  channel）（例えば、プライマリマクロセルへの上りリンクチャネル）に与えられ、次にDCIのないPUSCH（例えば、１つ以上のSCellへの上りリンクチャネル）に与えられる。この優先順位付けは、制限のあるUE電力状況においても、PCellとの必要な制御シグナリングが（例えば、PUCCHを介して）上りリンクにおいて損なわれないままにすることを確保しつつ、LTE-Advanced環境のUEが（例えば、PUSCHを介して）データ上りリンク送信をSCellにオフロードすることを可能にする。
【０００７】
図１は、或る実施例によるLTE-Advanced無線システムを示すシステム図である。図１は、例示的なUE102を含む。例示的なUE102は、無線通信リンク108でPCell104と無線で通信してもよい。或る態様では、通信リンク108は、１つ以上の通信チャネルを含んでもよい。１つ以上の通信チャネルは、PUCCHと、下りリンクで送信されるDCI（又は下りリンクで送信されないDCI）のあるPUSCHと、上りリンク又は下りリンクで制御（例えば、スケジューリング又は電力）情報又はデータを送信するための他のチャネルとを含んでもよい。システム100は、キャリアアグリゲーションをサポートしてもよいため（例えば、LTE-Aシステムでもよいため）、これらのチャネルは、アグリゲーションされ得る１つ以上のコンポーネントキャリアで構成されてもよい。
【０００８】
更に、PCell104は、限定されないが、無線アクセスネットワーク又はセルラネットワークのようなマクロセルに関連付けられたセルでもよい。例えば、或る例では、PCell104は、LTE-Advanced通信環境におけるPCellを有してもよい。更なる態様では、図１のPCell104は、PCellネットワークエンティティ106に関連付けられてもよい。PCellネットワークエンティティ106は、基地局（BS：base  station）、node  B、eNodeB（eNB）、リレー、ピアツーピア・デバイス、認証、許可及び課金（AAA：authentication,  authorization  and  accounting）サーバ、移動交換センタ（MSC：mobile  switching  center）、無線ネットワークコントローラ（RNC：radio  network  controller）を含み、アクセスポイント、マクロセルのようないずれかの種類のネットワークモジュールのうち１つ以上を有してもよく、含んでもよい。更に、PCell104に関連付けられたネットワークエンティティは、限定されないが、広域ネットワーク（WAN：wide-area  network）、無線ネットワーク（例えば、802.11又はセルラネットワーク）、PSTN（Public  Switched  Telephone  Network）ネットワーク、アドホックネットワーク、パーソナルエリアネットワーク（例えば、Bluetooth（登録商標））、又はネットワークプロトコル及びネットワークタイプの他の組み合わせ若しくは変更のような無線及び／又はコアネットワークの１つ以上の他のネットワークエンティティと通信してもよい。このようなネットワークは、単一のローカルエリアネットワーク（LAN：local  area  network）若しくは広域ネットワーク（WAN：wide-area  network）、又はインターネットのようなLAN若しくはWANの組み合わせを含んでもよい。
【０００９】
或る態様では、UE102は、限定されないが、スマートフォン、セルラ電話、移動電話、ラップトップコンピュータ、タブレットコンピュータ、又は他の携帯可能なネットワーク接続されたデバイスのような移動デバイスでもよい。更に、UE102はまた、当業者により、移動局、加入者局、移動ユニット、加入者ユニット、無線ユニット、リモートユニット、移動デバイス、無線デバイス、無線通信デバイス、リモートデバイス、移動加入者局、アクセス端末、移動端末、無線端末、リモート端末、ハンドセット、端末、ユーザエージェント、移動クライアント、クライアント、又は他の適切な用語として呼ばれてもよい。一般的に、UE102は、携帯可能であると考えられるのに十分に小型且つ軽量でもよい。更に、UE102は、上りリンク電力マネージャ204を含んでもよい。上りリンク電力マネージャ204は、UE102に関連付けられた上りリンク送信の送信電力を管理するように構成されてもよい。
【００１０】
更なる態様では、UE102は、１つ以上の通信リンク112を介して１つ以上のSCell110と通信してもよい（点線は複数のSCellが任意選択であることを示す）。或る例では、１つ以上のSCell110は、LTE-Advanced通信環境におけるSCellを含んでもよい。或る態様では、UE102は、UE102の複数のアンテナを介してPCell104及び１つ以上のSCell110と同時に通信するように構成されてもよい。或る態様では、通信リンク108は、１つ以上の通信チャネルを含んでもよい。１つ以上の通信チャネルは、PUCCHと、下りリンクで送信されるDCI（又は下りリンクで送信されないDCI）のあるPUSCHと、上りリンク又は下りリンクで制御（例えば、スケジューリング又は電力）情報又はデータを送信するための他のチャネルとを含んでもよい。
【００１１】
或る態様では、SCell110は、限定されないが、ピコセル、フェムトセル、マイクロセル、WiFiホットスポット等のような低電力アクセスポイントのような１つ以上のネットワークエンティティ又はモジュールにより制御されてもよく、これらに関連付けられてもよいスモールセル又は低電力セルでもよい。更に、SCell110は、限定されないが、広域ネットワーク（WAN：wide-area  network）、無線ネットワーク（例えば、802.11又はセルラネットワーク）、PSTN（Public  Switched  Telephone  Network）ネットワーク、アドホックネットワーク、パーソナルエリアネットワーク（例えば、Bluetooth（登録商標））、又はネットワークプロトコル及びネットワークタイプの他の組み合わせ若しくは変更のような無線及び／又はコアネットワークの１つ以上の他のネットワークエンティティと通信してもよい。このようなネットワークは、単一のローカルエリアネットワーク（LAN：local  area  network）若しくは広域ネットワーク（WAN：wide-area  network）、又はインターネットのようなLAN若しくはWANの組み合わせを含んでもよい。
【００１２】
更に、PCell104と１つ以上のSCell110とを含んでもよいシステム100は、広帯域符号分割多重アクセス（W-CDMA：Wideband  Code  Division  Multiple  Access）システムを有してもよく、PCell104及び１つ以上のSCell110は、この標準に従って１つ以上のUE102と通信してもよい。当業者が容易に認識するように、この開示を通じて記載される様々な態様は、他の電気通信システム、ネットワークアーキテクチャ及び通信標準まで及んでもよい。一例として、様々な態様は、時分割同期符号分割多重アクセス（TD-SCDMA：Time  Division  Synchronous  Code  Division  Multiple  Access）、高速下りリンクパケットアクセス（HSDPA：High  Speed  Downlink  Packet  Access）、高速上りリンクパケットアクセス（HSUPA：High  Speed  Uplink  Packet  Access）、高速パケットアクセス・プラス（HSPA+：High  Speed  Packet  Access  Plus）、及び時分割CDMA（TD-CDMA：Time-Division  CDMA）のような他のUMTS（Universal  Mobile  Telecommunications  System）システムまで及んでもよい。様々な態様はまた、（FDD、TDD又は双方のモードの）LTE（Long  Term  Evolution）、（FDD、TDD又は双方のモードの）LTE-A（LTE-Advanced）、CDMA2000、EV-DO（Evolution-Data  Optimized）、UMB（Ultra  Mobile  Broadband）、IEEE（Institute  of  Electrical  and  Electronics  Engineers）802.11（Wi-Fi）、IEEE802.16（WiMAX）、IEEE802.20、UWB（Ultra-Wideband）、Bluetooth（登録商標）及び／又は他の適切なシステムを使用したシステムまで及んでもよい。使用される実際の電気通信標準、ネットワークアーキテクチャ及び／又は通信標準は、システムに課される特定の用途及び全体の設計上の制約に依存する。ネットワークに結合される様々なデバイス（例えば、UE102及び／又はPCell104及び／又はSCell110にサービス提供するネットワークエンティティ）は、１つ以上の有線又は無線接続を介してネットワークに結合されてもよい。
【００１３】
例示的な実施例では、UEがサブフレームにおいて拡張nodeB（eNB：enhanced  node  B）により同時の物理上りリンク制御チャネル（PUCCH）及び物理上りリンク共有チャネル（PUSCH）についてスケジューリングされた場合、UE102は、複数のチャネルでの合計の所望の送信電力がサブフレームについて合計の構成された最大出力電力を超えるか否かを決定するように構成された処理回路を有してもよい。処理回路はまた、はじめに、チャネルに最小プロアクティブ電力を割り当てるように構成されてもよい。処理回路はまた、はじめに、優先度に基づいてチャネルに電力予算（power  budget）のいずれかの残りの電力を割り当てるように構成されてもよい。UE102はまた、最小プロアクティブ電力及び残りの電力割り当てに従ってチャネルを送信するように処理回路により構成された送受信機を含んでもよい。これらの実施例では、プライマリセル（PCell）のPUCCHは、第１の優先度として電力を割り当てられ、PCellの下りリンク制御情報（DCI）のある物理上りリンク共有チャネル（PUSCH）は、第２の優先度として電力を割り当てられ、セカンダリセル（SCell）のDCIのないPUSCHは、最低の優先度として電力を割り当てられる。
【００１４】
或る実施例では、処理回路はまた、最小プロアクティブ電力及び残りの電力割り当てから合計の電力割り振りを計算してもよい。或る実施例では、処理回路はまた、はじめに、優先度に基づいてチャネルに最小プロアクティブ電力を割り当ててもよい。
【００１５】
図２は、或る実施例による上りリンク電力マネージャを含む例示的なUEを示すブロック図である。上りリンク電力マネージャは、UE（例えば、図１のUE102）に関連付けられた上りリンク電力割り当てを管理するように構成されてもよい。或る態様では、上りリンク電力マネージャ204は、電力比較モジュール206を含んでもよい。電力比較モジュール206は、特定のサブフレームiについてのUE208の合計の所望の送信電力208がそのサブフレームについての合計の構成された最大出力電力210（ここでは
【００１６】
【数２】
0006333980.tif 000003
として表される）を超えるか否かを決定するために、電力値を比較するように構成されてもよい。或る例では、UEの合計の所望の送信電力208は、複数のモジュールの送信電力の和を含んでもよい。これは、限定されないが、サブフレームiにおける各サービングセルへの上りリンクPUSCHのチャネル送信電力の和（ここでは
【００１７】
【数３】
0006333980.tif 000004
として表される）と、サブフレームiの間のPUCCHでのPCellへのいずれかの上りリンク送信の送信電力値（ここでは
【００１８】
【数４】
0006333980.tif 000005
として表される）とを含んでもよい。換言すると、電力比較モジュール206は、以下の不等式の一方又は双方を評価するように構成されてもよい。
【００１９】
【数５】
0006333980.tif 000006
【００２０】
【数６】
0006333980.tif 000007
更に、上りリンク電力マネージャ204は、最小プロアクティブ電力割り当てモジュール212を含んでもよい。最小プロアクティブ電力割り当てモジュール212は、合計の所望の送信電力が合計の構成された最大出力電力を超えると電力比較モジュール206が決定した１つ以上の上りリンクチャネルに最小プロアクティブ電力PCMIN,cを割り当てるように構成されてもよい。一態様では、最小プロアクティブ電力モジュール212は、最小プロアクティブ電力計算モジュール214を含んでもよい。最小プロアクティブ電力計算モジュール214は、各サービングチャネルcに対応する１つ以上の最小プロアクティブ電力値PCMIN,cを計算するように構成されてもよい。PCMIN,cは、UEに関連付けられた１つ以上の上りリンクチャネルに割り当てられてもよい。非限定的な態様では、PCMIN,cは、それぞれのこのようなチャネルへのゼロでない上りリンク電力割り当てを確保するために、１つ以上の上りリンクチャネルに割り当てられてもよい。更に、或る態様では、最小プロアクティブ電力PCMIN,cは、割り当てられて適用された場合、合計電力制限に最小の影響を有し得るように計算されてもよい。１つのこのような非限定的な例では、合計電力制限が23dBmである場合、PCMIN,cは、23dBmの合計電力制限に最大で0.5dBの影響を及ぼすように設定されてもよい（例えば、(10^(23/10))-10^(22.5/10))=21.7mw=13.3dBm）。他の非限定的な態様では、最小プロアクティブ電力PCMIN,cは、スモールセルのカバレッジを満たすための上りリンク電力として設定されてもよく、一式の潜在的な構成可能な値（例えば、0dBm、10dBm）の中の１つの値を有してもよい。更なる態様では、この値は、ネットワーク最適化調整目的のために構成可能でもよい。
【００２１】
更なる態様では、最小プロアクティブ電力割り当てモジュール212は、優先度に基づいて２つ以上のチャネルに個別に最小プロアクティブ電力を割り当ててもよい。この優先度は、限定されないが、3GPP（Third  Generation  Partnership  Project）により公表された標準（例えば、ここに援用する3GPP  TS  36.213“E-UTRA,  Physical  Layer  Procedures”,  V10.6.0及び3GPP  TS  36.101“Evolved  Universal  Terrestrial  Radio  Access  (E-UTRA);  User  Equipment  (UE)  Radio  Transmission  and  Reception”）を含む、既存の標準の電力優先度の規定に準拠してもよい。例えば、或る態様では、最小プロアクティブ電力割り当てモジュール212により行われる上りリンク送信電力優先度は、以下の優先度に従って上りリンクチャネルにPCMIN,cを割り当ててもよい。
PUCCH＞PUSCH（DCIあり）＞PUSCH（DCIなし）
従って、最小プロアクティブ電力割り当てモジュールは、PUCCH電力割り当てモジュール214を含んでもよい。PUCCH電力割り当てモジュール214は、第１の優先度として、UEの限られた上りリンク電力予算をPUCCH電力の第１の部分として割り当てるように構成されてもよい。非限定的な例示的な態様では、PUCCH電力のこの第１の部分は、以下の式に従ってサブフレームiにおけるPCMIN,cの関数として割り当てられてもよい。
【００２２】
【数７】
0006333980.tif 000008
ただし、
【００２３】
【数８】
0006333980.tif 000009
は、サブフレームiについてPUCCHのサービングセルc（例えば、図１のPCell104のようなPCell）について規定された最小プロアクティブ電力制限のリニア値を表し、
【００２４】
【数９】
0006333980.tif 000010
は、PCMIX,c(i)のリニア値を表し、PCMIX,c(i)は、標準の要件（例えば、3GPP  TS  36.101“Evolved  Universal  Terrestrial  Radio  Access  (E-UTRA);  User  Equipment  (UE)  Radio  Transmission  and  Reception”）により規定されてもよい。
【００２５】
更に、上りリンク電力マネージャ204は、残り電力計算モジュール222を含んでもよい。残り電力計算モジュール222は、最小プロアクティブ電力割り当てモジュール212のモジュールが１つ以上のチャネルに上りリンク電力を割り当てた後に上りリンクサブフレームiについての限られた上りリンク電力予算の、ここでは
【００２６】
【数１０】
0006333980.tif 000011
として表される残りの電力のリニア値を計算するように構成されてもよい。例えば、或る態様では、PUCCH電力割り当てモジュール216は、式(3)に従って
【００２７】
【数１１】
0006333980.tif 000012
を割り当て、残り電力計算モジュール222は、以下のアルゴリズムに従って
【００２８】
【数１２】
0006333980.tif 000013
を計算してもよい。
【００２９】
【数１３】
0006333980.tif 000014
この
【００３０】
【数１４】
0006333980.tif 000015
に基づいて、最小プロアクティブ電力割り当てモジュールは、他のチャネルに残りの上りリンク電力を割り当ててもよい。例えば、最小プロアクティブ電力割り当てモジュール212は、DCIありPUSCH電力割り当てモジュール218を含んでもよい。DCIありPUSCH電力割り当てモジュール218は、第２の優先度として、下りリンクにおいてDCIのあるPUSCHチャネル（例えば、マクロセルでもよいPCellとのデータ通信のためのチャネル）に上りリンク電力を割り当てるように構成されてもよい。或る態様では、DCIありPUSCH電力割り当てモジュール218は、以下の式に基づいてこのようなDCIのあるPUSCHチャネルの上りリンク電力の第１の部分を割り当ててもよい。
【００３１】
【数１５】
0006333980.tif 000016
ただし、
【００３２】
【数１６】
0006333980.tif 000017
は、チャネルの合計の割り当てられた上りリンク電力を表す。更に、
【００３３】
【数１７】
0006333980.tif 000018
の値がDCIありPUSCH電力割り当てモジュール218により計算されると、サブフレームの更に利用可能な電力がDCIのあるPUSCHチャネルに割り当てられたため、残り電力計算モジュール222は、残りの電力224の値を更新してもよい。或る態様では、残り電力計算モジュール222は、以下の式に従ってこれを行ってもよい。
【００３４】
【数１８】
0006333980.tif 000019
ただし、
【００３５】
【数１９】
0006333980.tif 000020
は、残りの電力224の記憶された値（例えば、メモリに記憶された値）を表し、
【００３６】
【数２０】
0006333980.tif 000021
は、更新後の残りの電力224の更新された値を表す。
【００３７】
更に、最小プロアクティブ電力割り当てモジュール212は、DCIなしPUSCH電力割り当てモジュール220を含んでもよい。DCIなしPUSCH電力割り当てモジュール220は、下りリンクでDCI情報を伝送しない１つ以上のPUSCHチャネルに上りリンク電力を割り当てるように構成されてもよい。或る態様では、このようなチャネルは、UEとSCellとの間の通信を実現してもよい。SCellは、スモールセルでもよいが、この開示は、このような事例に限定されない。更に、DCIなしPUSCH電力割り当てモジュール220は、PUCCH、DCIのあるPUSCH及びDCIのないPUSCHのチャネルの最低の優先度又は第３の優先度として、このようなチャネルに残りの上りリンク電力を割り当てるように構成されてもよい。例えば、DCIなしPUSCH電力割り当てモジュール220は、以下のアルゴリズムに従ってDCIのないPUSCHの第１の部分に電力
【００３８】
【数２１】
0006333980.tif 000022
を割り当てるように構成されてもよい。
【００３９】
【数２２】
0006333980.tif 000023
更に、
【００４０】
【数２３】
0006333980.tif 000024
の値がDCIなしPUSCH電力割り当てモジュール220により計算されると、サブフレームの更に利用可能な電力がDCIのないPUSCHチャネルの第１の部分に割り当てられたため、残り電力計算モジュール222は、残りの電力224の値を更新してもよい。或る態様では、残り電力計算モジュール222は、以下の式に従ってこれを行ってもよい。
【００４１】
【数２４】
0006333980.tif 000025
ただし、
【００４２】
【数２５】
0006333980.tif 000026
は、残りの電力224の記憶された値（例えば、メモリに記憶された値）を表し、
【００４３】
【数２６】
0006333980.tif 000027
は、更新後の残りの電力224の更新された値を表す。
【００４４】
更に、上りリンク電力マネージャ204は、残り電力割り振りモジュール226を含んでもよい。残り電力割り振りモジュール226は、最小プロアクティブ電力割り当てモジュール212により実行されてもよい初期電力割り当ての後に、１つ以上のチャネルに残りの上りリンク電力を割り振るように構成されてもよい。或る態様では、残り電力割り振りモジュール226は、残りPUCCH電力割り振りモジュール228を含んでもよい。残りPUCCH電力割り振りモジュール228は、例えば、PUCCHにPUCCH電力の第２の部分
【００４５】
【数２７】
0006333980.tif 000028
を割り振るように構成されてもよい。ここで、PUCCH上りリンク送信電力の第１の部分
【００４６】
【数２８】
0006333980.tif 000029
は、サブフレームiの標準の割り当てられた最大PUCCH電力
【００４７】
【数２９】
0006333980.tif 000030
未満である。換言すると、残りPUCCH電力割り振りモジュール228は、不等式
【００４８】
【数３０】
0006333980.tif 000031
を評価するように構成されてもよい。この不等式が真である場合、残りPUCCH電力割り振りモジュール228は、以下の式に従って
【００４９】
【数３１】
0006333980.tif 000032
を設定するように構成されてもよい。
【００５０】
【数３２】
0006333980.tif 000033
更に、
【００５１】
【数３３】
0006333980.tif 000034
の値が残りPUCCH電力割り振りモジュール228により計算されると、サブフレームの更に利用可能な電力がPUCCHチャネルの第２の部分に割り当てられたため、残り電力計算モジュール222は、残りの電力224の値を更新してもよい。或る態様では、残り電力計算モジュール222は、以下の式に従ってこれを行ってもよい。
【００５２】
【数３４】
0006333980.tif 000035
更なる態様では、残り電力割り振りモジュール226は、残りDCIありPUSCH電力割り振りモジュール230を含んでもよい。残りDCIありPUSCH電力割り振りモジュール230は、第２の優先度として、DCIのあるPUSCHチャネルにDCIのあるPUSCHの上りリンク送信電力の第２の部分
【００５３】
【数３５】
0006333980.tif 000036
を割り振るように構成されてもよい。残りDCIありPUSCH電力割り振りモジュール230は、例えば、DCIありPUSCHの第１の部分の上りリンク送信電力
【００５４】
【数３６】
0006333980.tif 000037
がサブフレームi及びセルcについてのチャネル毎の標準の割り当てられた最大のDCIのあるPUSCHの電力
【００５５】
【数３７】
0006333980.tif 000038
未満である場合、これを行うように構成されてもよい。換言すると、残りDCIありPUSCH電力割り振りモジュール230は、不等式
【００５６】
【数３８】
0006333980.tif 000039
を評価するように構成されてもよい。この不等式が真である場合、残りDCIありPUSCH電力割り振りモジュール230は、以下の式に従って
【００５７】
【数３９】
0006333980.tif 000040
を設定するように構成されてもよい。
【００５８】
【数４０】
0006333980.tif 000041
更に、
【００５９】
【数４１】
0006333980.tif 000042
の値が残りDCIありPUSCH電力割り振りモジュール230により計算されると、サブフレームの更に利用可能な電力がDCIのあるPUSCHチャネルの第２の部分に割り当てられたため、残り電力計算モジュール222は、残りの電力224の値を更新してもよい。或る態様では、残り電力計算モジュール222は、以下の式に従ってこれを行ってもよい。
【００６０】
【数４２】
0006333980.tif 000043
更に、残り電力割り振りモジュール226は、残りDCIなしPUSCH電力割り振りモジュール232を含んでもよい。残りDCIなしPUSCH振り割り当てモジュール232は、第３（又は最低）の優先度として、DCIのないPUSCHチャネルにDCIのないPUSCHの上りリンク送信電力の第２の部分
【００６１】
【数４３】
0006333980.tif 000044
を割り振るように構成されてもよい。残りDCIなしPUSCH電力割り振りモジュール232は、例えば、DCIなしPUSCHの第１の部分の上りリンク送信電力
【００６２】
【数４４】
0006333980.tif 000045
がサブフレームi及びセルcについてのチャネル毎の標準の割り当てられた最大のDCIのないPUSCHの電力
【００６３】
【数４５】
0006333980.tif 000046
未満である場合、これを行うように構成されてもよい。換言すると、残りDCIなしPUSCH電力割り振りモジュール232は、不等式
【００６４】
【数４６】
0006333980.tif 000047
を評価するように構成されてもよい。この不等式が真である場合、残りDCIなしPUSCH電力割り振りモジュール232は、以下の式に従って
【００６５】
【数４７】
0006333980.tif 000048
を設定するように構成されてもよい。
【００６６】
【数４８】
0006333980.tif 000049
更に、
【００６７】
【数４９】
0006333980.tif 000050
の値が残りDCIなしPUSCH電力割り振りモジュール232により計算されると、サブフレームの更に利用可能な電力がDCIのないPUSCHチャネルの第２の部分に割り当てられたため、残り電力計算モジュール222は、残りの電力224の値を更新してもよい。或る態様では、残り電力計算モジュール222は、以下の式に従ってこれを行ってもよい。
【００６８】
【数５０】
0006333980.tif 000051
更に、上り電力マネージャ204は、合計電力割り振り計算モジュール234を含んでもよい。合計電力割り振り計算モジュール234は、サブフレームにおいて上りリンクデータを送信するためにスケジューリングされた上りリンクチャネル毎に、合計電力割り振りを計算するように構成されてもよい。或る態様では、合計電力割り振り計算モジュール234は、１つ以上のチャネルについてコンポーネント（例えば、Part  1、Part  2等）の電力割り当て値又は割り振り値を結合及び／又は加算することにより、これらの合計電力割り振りを計算するように構成されてもよい。コンポーネントの電力割り当て値又は割り振り値は、限定されないが、最小プロアクティブ電力割り当てモジュール212及び／又は残り電力割り当てモジュール226のような上りリンク電力マネージャ204の１つ以上の他のモジュールにより割り振り、割り当て及び／又は記憶されていてもよい。
【００６９】
例えば、或る態様では、合計電力割り当て計算モジュール234は、以下の式に従ってサブフレームiについての合計のPUCCHの上りリンク割り振り値
【００７０】
【数５１】
0006333980.tif 000052
を計算するように構成されてもよい。
【００７１】
【数５２】
0006333980.tif 000053
同様に、合計電力割り振り計算モジュール234は、以下の式に従ってサブフレームi及び各チャネルcについての合計のDCIのあるPUSCHの上りリンク割り振り値
【００７２】
【数５３】
0006333980.tif 000054
を計算するように構成されてもよい。
【００７３】
【数５４】
0006333980.tif 000055
更に、合計電力割り振り計算モジュール234は、以下の式に従ってサブフレームi及び各チャネルcについての合計のDCIのないPUSCHの上りリンク割り振り値
【００７４】
【数５５】
0006333980.tif 000056
を計算するように構成されてもよい。
【００７５】
【数５６】
0006333980.tif 000057
図３は、或る例示的な実施例による改善した上りリンク送信電力管理のための方法300を示すフローチャートである。或る例では、方法300及び／又は方法300を含む方法のステップのいずれかは、処理装置により実行されるように構成されてもよい。処理装置は、例えば、図１のUE102、ネットワークデバイス（図１のプライマリ又はSCellのネットワークエンティティ）、及び／又はここでの方法を含んでもよい。或る例では、方法300は、スロット、フレーム、ブロック若しくは他の送信ウィンドウ、スロット、又は他の時間若しくは波長送信構成機構或いは手順における複数の送信サブフレームの上りリンク送信サブフレームi毎の送信スケジューリング手順の間に実行されてもよい。
【００７６】
或る態様では、方法300は、ブロック302における判断を含んでもよく、送信装置は、合計の所望の送信電力が合計の構成された最大出力電力を超えるか否かを決定してもよい。合計の所望の送信電力が合計の構成された最大出力電力を超えない場合（NOの判断ライン）、方法300は、終了に進んでもよく、上りリンク電力のスケジューリングは、通常通り（例えば、仕様に規定された上りリンク電力方法及び値に従って）行われてもよい。しかし、合計の所望の送信電力が合計の構成された最大出力電力を超える場合（YESの判断ライン）、方法300は、ブロック304に進んでもよい。
【００７７】
或る態様では、ブロック304において、処理装置は、各サービングセルに最小プロアクティブ電力制限を割り当ててもよい。或る態様では、最小プロアクティブ電力制限は、最小プロアクティブ電力値PCMIN,cに基づいてもよい。非限定的な態様では、PCMIN,cは、それぞれのこのようなチャネルへのゼロでない上りリンク電力割り当てを確保するために、１つ以上の上りリンクチャネルに割り当てられてもよい。更に、或る態様では、最小プロアクティブ電力PCMIN,cは、割り当てられて適用された場合、合計電力制限に最小の影響を有し得るように計算されてもよい。他の非限定的な態様では、最小プロアクティブ電力PCMIN,cは、スモールセルのカバレッジを満たすための上りリンク電力として設定されてもよく、一式の潜在的な構成可能な値（例えば、0dBm、10dBm）の中の１つの値を有してもよい。更に、各サービングセルに最小プロアクティブ電力制限を割り当てることは、サブフレームiについて特定のセルの上りリンクにおける合計電力割り振りの第１の部分を割り当てることを有してもよい。更なる態様では、この値は、ネットワーク最適化調整目的のために構成可能でもよい。
【００７８】
更に、ブロック304において、最小プロアクティブ電力制限値は、限定されないが、図２を参照して前述した通り、PUCCH＞PUSCH（DCIあり）＞PUSCH（DCIなし）の形式になる優先度方式のような優先度に基づいて割り当てられてもよい。更に、最小プロアクティブ電力制限の割り当ては、最小プロアクティブ電力割り当てモジュール212、残り電力計算モジュール222及び／又はその中のモジュールのいずれか（図２参照）により実行される方法、式又は技術に従って実行されてもよい。
【００７９】
更に、ブロック306において、処理装置は、優先度に基づいて１つ以上のチャネルに残り電力を割り振ってもよい。或る態様では、ブロック306の割り振りは、１つ以上の上りリンクチャネルの合計送信電力の第２の部分を有してもよい。ブロック304での割り当てと同様に、残りの電力は、限定されないが、図２を参照して前述した通り、PUCCH＞PUSCH（DCIあり）＞PUSCH（DCIなし）の形式になる優先度方式のような優先度に基づいて１つ以上のチャネルに割り当てられてもよい。更に、最小プロアクティブ電力制限の割り当ては、残り電力割り振りモジュール226、残り電力計算モジュール222及び／又はその中のモジュールのいずれか（図２参照）により実行される方法、式又は技術に従って実行されてもよい。
【００８０】
更に、ブロック308において、処理装置は、それぞれブロック304及び306の割り当て及び割り振りに基づいて合計電力割り振りを計算してもよい。或る態様では、処理装置は、１つ以上のチャネルについてコンポーネント（例えば、Part  1、Part  2等）の電力割り当て値又は割り振り値を結合及び／又は加算することにより、合計電力割り振りを計算してもよい。コンポーネントの電力割り当て値又は割り振り値は、方法300のブロック304及び／又は306において割り振り、割り当て及び／又は記憶されていてもよい。更に、ブロック308においてこれらの合計電力割り振りが計算されると、電力割り当て方法300は、終了してもよく、処理装置は、方法300により割り当てられた或いは計算されたチャネル固有の合計の電力割り振りに従って、１つ以上のチャネルを介して１つ以上のメッセージを送信してもよい。
【００８１】
図４は、或る実施例によるUEにおける改善した上りリンク電力管理のための例示的なシステム400を示すブロック図である。例えば、システム400は、UE又はネットワークエンティティ（例えば、図１のPCell104及び／又はSCell110のネットワークエンティティ）のようなUE（例えば、図１のUE102）の中に少なくとも部分的に存在してもよい。システム400は、機能ブロックを含むものとして表され、機能ブロックは、プロセッサ、ソフトウェア、又はこれらの組み合わせ（例えば、ファームウェア）により実現される機能を表す機能ブロックでもよいことが分かる。システム400は、協力して動作し得る電気モジュールの論理グループ402を含む。
【００８２】
例えば、論理グループ402は、合計の所望の送信電力が合計の構成された最大出力電力を超えるか否かを決定する電気モジュール404を含んでもよい。或る態様では、電気モジュール404は、電力比較モジュール206（図２）を有してもよい。更に、論理グループ402は、各サービングセルに最小プロアクティブ電力制限を割り当てる電気モジュール406を含んでもよい。或る態様では、電気モジュール406は、最小プロアクティブ電力割り当てモジュール212（図２）を有してもよい。更なる態様では、論理グループ402は、優先度に基づいて１つ以上のチャネルに残りの電力を割り振る電気モジュール408を含んでもよい。或る態様では、電気モジュール408は、残り電力割り振りモジュール226（図２）を有してもよい。更に、論理グループ402は、合計の電力割り振りを計算する電気モジュール410を含んでもよい。或る態様では、電気モジュール410は、合計電力割り振り計算モジュール234（図２）を有してもよい。
【００８３】
更に、システム400は、電気モジュール404、406、408及び410に関連付けられた機能を実行する命令を保持し、電気モジュール404、406、408及び410等により使用又は取得されるデータを記憶するメモリ412を含んでもよい。メモリ412に対して外部であるように図示されているが、電気モジュール404、406、408及び410の１つ以上は、メモリ412内に存在してもよいことが分かる。或る例では、電気モジュール404、406、408及び410は、少なくとも１つのプロセッサを有してもよく、各電気モジュール404、406、408及び410は、対応するモジュール又は少なくとも１つのプロセッサのモジュールでもよい。更に、更なる例又は別の例では、１つ以上の電気モジュール404、406、408及び410は、コンピュータ読み取り可能媒体を含むコンピュータプログラムプロダクトでもよく、各電気モジュール404、406、408及び410は、対応するコードでもよい。
【００８４】
図５は、例示的な実施例に従って機械に対してここに記載の方法のうちいずれか１つを実行させる命令のセット又は系列が実行され得るコンピュータシステム500の例示的な形式の機械を示すブロック図である。別の実施例では、機械は、スタンドアローン型デバイスとして動作してもよく、他の機械に接続（例えば、ネットワーク接続）されてもよい。ネットワーク接続された配置では、機械は、サーバクライアントネットワーク環境においてサーバ又はクライアント機の資格で動作してもよく、ピアツーピア（又は分散型）ネットワーク環境においてピア機として動作してもよい。機械は、パーソナルコンピュータ（PC）、タブレットPC、セットトップボックス（STB）、パーソナルデジタルアシスタント（PDA）、移動電話、ウェブ機器、ネットワークルータ、スイッチ若しくはブリッジ、又はその機械により行われる動作を指定する命令（順次命令又は他の命令）を実行可能ないずれかの機械でもよい。更に、単一の機械のみが示されているが、“機械”という用語は、ここに記載の方法のうちいずれか１つ以上を実行する命令のセット（又は複数のセット）を個別又は一緒に実行する機械のいずれかの集合を含むものとして考えられるものとする。
【００８５】
例示的なコンピュータシステム500は、少なくとも１つのプロセッサ502（例えば、中央処理装置（PCU）、グラフィックス処理ユニット（GPU）又はこれらの双方、プロセッサコア、コンピュータノード等）と、メインメモリ504と、スタティックメモリ505とを含み、これらは、リンク508（例えば、バス）を介して相互に通信する。コンピュータシステム500は、ビデオ表示ユニット510と、英数字入力デバイス512（例えば、キーボード）と、ユーザインタフェース（UI）ナビゲーションデバイス514（例えば、マウス）とを更に含んでもよい。一実施例では、ビデオ表示ユニット510、入力デバイス512及びUIナビゲーションデバイス514は、タッチスクリーンディスプレイに組み込まれる。コンピュータシステム500は、記憶デバイス515（例えば、ドライブユニット）と、信号生成デバイス518（例えば、スピーカ）と、ネットワークインタフェースデバイス520と、グローバルポジショニングシステム（GPS）センサ、コンパス、加速度計又は他のセンサのような１つ以上のセンサ（図示せず）とを更に含んでもよい。
【００８６】
記憶デバイス515は、ここに記載の方法又は機能のうちいずれか１つ以上により具現又は利用されるデータ構造及び命令524の１つ以上のセット（例えば、ソフトウェア）が格納された機械読み取り可能媒体522を含む。命令524は、メインメモリ504、スタティックメモリ505及び／又はコンピュータシステム500による実行中のプロセッサ502の中に完全に或いは少なくとも部分的に存在してもよく、メインメモリ504、スタティックメモリ505及びプロセッサ502もまた機械読み取り可能媒体を構成する。
【００８７】
機械読み取り可能媒体522は、例示的な実施例において単一の媒体であるように示されているが、“機械読み取り可能媒体”という用語は、１つ以上の命令524を記憶する単一の媒体又は複数の媒体（例えば、集中型又は分散型データベース及び／又は関連付けられたキャッシュ及びサーバ）を含んでもよい。“機械読み取り可能媒体”という用語はまた、機械による実行のための命令を記憶、符号化又は保持可能であり、機械に対してこの開示の方法のうちいずれか１つ以上を実行させるいずれかの有形の媒体、又は、このような命令により利用又は関連付けされたデータ構造を記憶、符号化又は保持可能であるいずれかの有形の媒体を含むものとして考えられるものとする。従って、“機械読み取り可能媒体”という用語は、限定されないが、ソリッドステートメモリと、光及び磁気媒体を含むものとして考えられるものとする。機械読み取り可能媒体の具体的な例は、一例として半導体記憶デバイス（例えば、電気的プログラム可能読み取り専用メモリ（EPROM）、電気的消去可能プログラム可能読み取り専用メモリ（EEPROM））及びフラッシュメモリデバイス、内部ハードディスク及び取り外し可能ディスクのような磁気ディスク、並びにCD-ROM及びDVD-ROMディスクを含む不揮発性メモリを含む。
【００８８】
更に、命令524は、複数の周知の伝送プロトコル（例えば、HTTP）のうちいずれか１つを利用して、ネットワークインタフェースデバイス520を介した伝送媒体を使用して通信ネットワーク526で送信又は受信されてもよい。通信ネットワークの例は、ローカルエリアネットワーク（LAN）、広域ネットワーク（WAN）、インターネット、移動電話ネットワーク、POTS（Plain  Old  Telephone）ネットワーク、及び無線データネットワーク（例えば、Wi-Fi、3G及び4GのLTE/LTE-A又はWiMAXネットワーク）を含む。“伝送媒体”という用語は、機械による実行のための命令を記憶、符号化又は保持可能であり、このようなソフトウェアの通信を実現するためのデジタル若しくはアナログ通信信号又は他の無形の媒体を含むいずれか無形の媒体を含むものとして考えられるものとする。
【００８９】
ここに記載する例は、ロジック若しくは複数のモジュール、モジュール又は機構を含んでもよく、これらで動作してもよい。モジュールは、指定の動作を実行可能な有形のエンティティであり、特定の方式で構成又は配置されてもよい。或る例では、回路は、モジュールとして指定の方式で（例えば、内部で或いは他の回路のような外部エンティティに関して）構成されてもよい。或る例では、１つ以上のコンピュータシステム（例えば、スタンドアローン型、クライアント又はサーバコンピュータシステム）の全部若しくは一部、又は１つ以上のハードウェアプロセッサは、指定の動作を実行するように動作するモジュールとして、ファームウェア又はソフトウェア（例えば、命令、アプリケーション部又はアプリケーション）により構成されてもよい。或る例では、ソフトウェアは、(1)過渡的でない機械可能媒体に存在してもよく、(2)送信信号に存在してもよい。或る例では、ソフトウェアは、モジュールの基礎のハードウェアにより実行された場合、ハードウェアに対して指定の動作を実行させる。
【００９０】
従って、“モジュール”及び“モジュール”という用語は、有形のエンティティを含み、指定の方法で動作するように、或いはここに記載のいずれかの動作の一部又は全部を実行するように物理的に構成され、具体的に構成され（例えば配線接続され）、或いは一時的に（過渡的に）構成された（例えば、プログラムされた）エンティティであるものと理解される。モジュールが一時的に構成される例を考えると、モジュールの１つのインスタンス化は、同じモジュール又は異なるモジュールの他のインスタンス化と同時に存在しなくてもよい。例えば、モジュールがソフトウェアを使用して構成された汎用ハードウェアプロセッサを有する場合、汎用ハードウェアプロセッサは、異なる時点でそれぞれ異なるモジュールとして構成されてもよい。従って、ソフトウェアは、例えば、１つの時点で特定のモジュールを構成し、異なる時点で異なるモジュールを構成するようにハードウェアプロセッサを構成してもよい。
【００９１】
ここに記載の方法、システム及びデバイスの実施例の更なる例は、以下の非限定的な構成を含む。以下の非限定的な例のそれぞれは、自立してもよく、以下に提示される他の例又はこの開示を通じた他の例のうちいずれか１つ以上と何らかの変更又は組み合わせで組み合わされてもよい。前述の説明及び図面は、当業者が特定の実施例を実施することを可能にするのに十分に特定の実施例を示している。他の実施例は、構造的、論理的、電気的、処理的又は他の変更を組み込んでもよい。或る実施例の部分及び機能は、他の実施例のものに含まれてもよく、置換されてもよい。
【００９２】
＜補注及び例＞
例１は、合計の所望の送信電力がサブフレームについて合計の構成された最大出力電力を超えるか否かを決定するように構成された電力比較モジュールと、各サービングセルに最小プロアクティブ電力制限を割り当てるように構成された最小プロアクティブ電力割り当てモジュールと、優先度に基づいて１つ以上のチャネルに残りの電力を割り振るように構成された残り電力割り振りモジュールと、割り当て及び割り振りに基づいて合計電力割り振りを計算するように構成された合計電力割り振り計算モジュールとを有する対象物（装置、移動装置、ユーザ装置、ネットワークデバイス、通信装置若しくはデバイス、ハードウェア、モジュール、又はモジュール等）を含んでもよい。
【００９３】
例２は、最小プロアクティブ電力割り当てモジュールが、第１の優先度として、物理上りリンク制御チャネル（PUCCH）の電力の少なくとも一部を割り振るように更に構成されるような対象物を任意選択で含むように、例１の対象物を含んでもよく、任意選択で組み合わされてもよい。
【００９４】
例３は、最小プロアクティブ電力割り当てモジュールが、第２の優先度として、下りリンク制御情報（DCI）のある物理上りリンク共有チャネル（PUSCH）の電力の少なくとも一部を割り振るように更に構成されるような対象物を任意選択で含むように、例１又は例２の一方又は双方の対象物を含んでもよく、任意選択で組み合わされてもよい。
【００９５】
例４は、最小プロアクティブ電力割り当てモジュールが、最低の優先度として、下りリンク制御情報のない物理上りリンク共有チャネルの電力の少なくとも一部を割り振るように更に構成されるような対象物を任意選択で含むように、例１〜３のいずれかの対象物を含んでもよく、任意選択で組み合わされてもよい。
【００９６】
例５は、残り電力割り振りモジュールが、第１の残り電力の優先度として、残りの物理上りリンク制御チャネルの電力を割り振るように更に構成されるような対象物を任意選択で含むように、例１〜４のいずれかの対象物を含んでもよく、任意選択で組み合わされてもよい。
【００９７】
例６は、残り電力割り振りモジュールが、第２の残り電力の優先度として、残りの下りリンク制御情報のある物理上りリンク共有チャネルの電力を割り振るように更に構成されるような対象物を任意選択で含むように、例１〜５のいずれかの対象物を含んでもよく、任意選択で組み合わされてもよい。
【００９８】
例７は、残り電力割り振りモジュールが、最低の残り電力の優先度として、残りの下りリンク制御情報のない物理上りリンク共有チャネルの電力を割り振るように更に構成されるような対象物を任意選択で含むように、例１〜６のいずれかの対象物を含んでもよく、任意選択で組み合わされてもよい。
【００９９】
例２は、安全タイマリセットフラグがリセット状態を示すか否かを決定するように構成されたリセット状態決定モジュールと、安全タイマリセットフラグがリセット状態を示す場合、安全クロック回復手順を開始するように構成された安全クロック回復手順開始モジュールとを任意選択で含むように、例１の対象物を含んでもよく、任意選択で組み合わされてもよい。
【０１００】
例３は、安全タイマのリセットが生じた場合、安全タイマリセットフラグを設定するように構成されたフラグ設定モジュールを任意選択で含むように、例１及び／又は２の対象物を含んでもよく、任意選択で組み合わされてもよい。
【０１０１】
例４は、ネットワークエンティティからタイマ再同期メッセージを要求するように構成された再同期再要求モジュールを任意選択で含むように、例１〜３の１つ又はいずれかの組み合わせの対象物を含んでもよく、任意選択で組み合わされてもよい。
【０１０２】
例５は、ネットワークエンティティからタイマ再同期メッセージを受信するように構成されたメッセージ受信モジュールを任意選択で含むように、例１〜４の１つ又はいずれかの組み合わせの対象物を含んでもよく、任意選択で組み合わされてもよい。
【０１０３】
例６は、タイマ再同期メッセージがインテグリティ保護される、例１〜５の１つ又はいずれかの組み合わせの対象物を含んでもよく、任意選択で組み合わされてもよい。
【０１０４】
例７は、リセットデルタ取得モジュールが、第２のネットワーク時間から第２の安全クロック時間及びタイマオフセットを減算することにより、リセットデルタを取得するように更に構成される、例１〜６の１つ又はいずれかの組み合わせの対象物を含んでもよく、任意選択で組み合わされてもよい。
【０１０５】
例８は、合計の所望の送信電力がサブフレームについて合計の構成された最大出力電力を超えるか否かを決定し、各サービングセルに最小プロアクティブ電力制限を割り当て、優先度に基づいて１つ以上のチャネルに残りの電力を割り振り、割り当て及び割り振りに基づいて合計電力割り振りを計算することを有する、例１〜７のいずれか１つ又は組み合わせに任意選択で加えてもよい対象物（方法、動作を実行する手段、機械により実行された場合、機械に対して動作を実行させる命令を含む機械読み取り可能媒体、実行するように構成された装置等）を含んでもよい。
【０１０６】
例９は、第１の優先度として、物理上りリンク制御チャネルの電力の少なくとも一部を割り振ることを任意選択で含むように、例１〜８の対象物を含んでもよく、任意選択で組み合わされてもよい。
【０１０７】
例１０は、第２の優先度として、下りリンク制御情報のある物理上りリンク共有チャネルの電力の少なくとも一部を割り振ることを任意選択で含むように、例１〜９の対象物を含んでもよく、任意選択で組み合わされてもよい。
【０１０８】
例１１は、最低の優先度として、下りリンク制御情報のない物理上りリンク共有チャネルの電力の少なくとも一部を割り振るようにことを任意選択で含むように、例１〜１０のいずれかの対象物を含んでもよく、任意選択で組み合わされてもよい。
【０１０９】
例１２は、第１の残り電力の優先度として、残りの物理上りリンク制御チャネルの電力を割り振ることを任意選択で含むように、例１〜１１のいずれかの対象物を含んでもよく、任意選択で組み合わされてもよい。
【０１１０】
例１３は、第２の残り電力の優先度として、残りの下りリンク制御情報のある物理上りリンク共有チャネルの電力を割り振ることを任意選択で含むように、例１〜１２のいずれかの対象物を含んでもよく、任意選択で組み合わされてもよい。
【０１１１】
例１４は、最低の残り電力の優先度として、残りの下りリンク制御情報のない物理上りリンク共有チャネルの電力を割り振ることを任意選択で含むように、例１〜１３のいずれかの対象物を含んでもよく、任意選択で組み合わされてもよい。
【図１】
0006333980.tif 000058
【図２】
0006333980.tif 000059
【図３】
0006333980.tif 000060
【図４】
0006333980.tif 000061
【図５】
0006333980.tif 000062